(57)【要約】      （修正有）【課題】再使用可能なケーシングを提供する。【解決手段】左右の半円筒形部１ａ，１ｂに蝶番２を設けて左右に開閉可能に構成してなるケーシングであって、掘削ハンマ−４に装着して掘削した穴に電柱、支柱、Ｈ型鋼等の構築物を挿入してケーシングを上方向に引き抜いて地上でケーシングを開いて取り外すことができる。開閉型ケーシング１は、掘削位置の土壌条件に応じて、掘削後開閉型ケーシングの中に構築物を掘削穴に挿入して後に、開閉型ケーシングを地上まで引き上げて再使用するか、ケーシングを地中に埋め殺すか、いずれかの利用法を使い分けられるという利点がある。【選択図】図１
0003136544.tif 000002
【実用新案登録請求の範囲】
【請求項１】
左右半円筒形部の側端部に蝶番を設けて開閉可能に構成したケーシングを掘削ハンマーに装着して、掘削した後掘削穴から掘削ハンマーを抜き上げて掘削穴内にある前記ケーシング内に電柱、主柱、Ｈ型鋼等いずれかの構築物を挿入した後、前記ケーシングを上部へ引き抜き、地上でケーシングの左右半円筒形部を開いて取り外すことができるようにしたことを特徴とする開閉型ケーシング。
【請求項２】
円筒形金属管を縦割りした樋形状を有する左右半円筒形部のそれぞれの側端部に蝶番を設け左右の半円筒形部を開閉可能に構成した左右半円筒形部を有するケーシングであることを特徴とする請求項1に記載の開閉型ケーシング。
【請求項３】
円筒形金属管を縦割りした樋形状を有する左右半円筒形部の一方の側端部に蝶番を設けて開閉可能に構成したケーシングは左右半円筒形部の他方の側端部同志が互いに接してその側端部が外れないようにするため、左右の半円筒形部を閉じている場合には左右の側端部が相互に噛み合わせるためにフラットバーを側端部に設けたことを特徴とする請求項1乃至２のいずれかに記載の開閉型ケーシング。
【考案の詳細な説明】
【技術分野】
【０００１】
本考案は、地盤に電柱、道路標識の支持柱、土止め用Ｈ型鋼などの構築物(以下、これを構築物という。)を設置するために地盤を掘削する場合に、掘削ハンマーに装着して使用されるケーシングであって、掘削完了後の掘削ハンマーを抜き上げて掘削穴にあるケーシング内に構築物を挿入し、ケーシングを上部に引き抜き取り外して再使用することができるようにした開閉型ケーシングに関するものである。
【背景技術】
【０００２】
掘削装置の中で、パイプ状のケーシングは、掘削ハンマーに装着して工事をする地盤に電柱、支持柱などを挿入する掘削穴を掘る際に、玉石、砂、水、粘土などからなる土壌を破壊しない状態で掘削工事ができる利点があるので、掘削する際に掘削ハンマーの周囲に装着して実用に供されている。
実用のケーシングは、パイプ状の金属製管で有って(特許文献１〜６図面参照)、工事現場が大きな河川があるところや火山があるところは地盤が軟らかく、その地盤を掘削する場合に掘削穴内の崩落を防止して工事を容易にし、地盤沈下を防止するために使用するものである。従来のパイプ状のケーシングは掘削後に土壌中に埋め殺しにしていたものであるが、それを埋め殺しにして掘削穴の土壌の崩落や陥没を防止しているものであったので、取り出して再使用をすることは出来なかった。その理由は、ケーシングを工事した土壌中に埋め殺しにしてそこで発生する土壌の崩落や陥没を防止するのみで実用上十分であった。
【０００３】
しかし、玉石や火山性の崩壊しやすい土壌条件のよくない地域で掘削工事をする場合に掘削中の掘削穴内の崩落を防止するためにケーシングの使用は不可欠である。工事後に掘削穴内の土壌の崩落を防止し、陥没を無くすることによって、工事の安全を実現し、工事完了後にもメンテナンスを容易にする必要がある。従来のパイプ状金属製管であるケーシングは、土壌の内部に埋め殺しにされるものであるためにそれを再使用できないという欠点があった。
【０００４】
ケーシングを土壌条件の良くない崩壊しやすい土壌の掘削工事で使用する用途において、この欠点はケーシングを多く使用する結果になっている。更に具体的には、工事に関して埋め殺しにするケーシングを使用した場合には、多くの費用をかける、又その埋め殺しのケーシングを使用しなかった場合には多くの土砂を排除しなければならないとか、工事場所が陥没するなどの問題があった。
【０００５】
この改善策として、ケーシングを掘削穴の内部に埋め殺さなくても、それを取り出して再使用することで工事費の節減ができるし、再使用によって掘削穴の崩落や掘削後の陥没を防止しメンテナンスを容易に行える。本考案はこのような目的で従来の金属管のケーシングを再使用できるような構造に改良しようとするものである。
【特許文献１】特開平０７−２３７７８２号公報
【特許文献２】特開平１０−１０２９６９号公報
【特許文献３】特開２００１−３２３７６７号公報
【特許文献４】特開２００２−６１４８２号公報
【特許文献５】特開２００３−１４８０７７号公報
【特許文献６】特開２００３−１７２０８７号公報
【考案の開示】
【考案が解決しようとする課題】
【０００６】
解決しようとする問題点は、大きな河川や火山のある地域は玉石、や火山性土壌等により工事現場に蓄積された土壌が崩壊しやすい地盤で掘削ハンマーにケーシングを装着して掘削した掘削穴に電柱や支持柱を立てる工事中に地盤の崩落を防止するために用いられるケーシングは、従来掘削穴に埋め込み型の丸パイプ状の金属管であって、ケーシングを地中に埋め殺されるほかないので、地中のケーシングを上方向に引き抜いて、再使用することができない点である。
【課題を解決するための手段】
【０００７】
本考案は、パイプ状金属管を縦割りにして樋形状になる左右半円筒形部の一方の側端部に複数の蝶番を設けて左右連結し、半円筒形部のもう一方の側端部に土圧が掛かっても側端部にフラットバーを設けてあるので左右の半円筒形部が外れないようにした構成により、従来丸パイプ状金属管であったケーシングを蝶番で左右に開閉可能な半円筒形部を有するケーシングに再構成したものであり、掘削ハンマーに前記ケーシングを装着して掘削した後に、掘削穴に置かれたケーシングの中に構築物を挿入してケーシングを埋め込むことなく、本考案のケーシングを地中から地上まで引き抜いて蝶番を開いて、取り外し再使用できることを最も主要な特徴とする開閉型ケーシングに関する。
【考案の効果】
【０００８】
本考案の開閉型ケーシングは、掘削後掘削穴に置かれた開閉型ケーシングの中に構築物を挿入して、開閉型ケーシングを地上まで引き抜いて半円筒形部を左右に開き構築物から取り外して再使用することができるようにした。その場合にケーシングは地中に埋め殺されることもなく、他の掘削工事でも使用し、常に一度使用したケーシングを再使用できるので、掘削工事位置の土壌条件に応じてそれを埋め殺すか、それを引き抜いて再使用するかの使い分けができるという利点がある。
【考案を実施するための最良の形態】
【０００９】
掘削工事現場では岩盤を掘削後に掘削ハンマーを抜き上げて掘削穴内に置かれたケーシングの中に構築物を挿入した後、ケーシングを地上まで引き抜いて取り外して再使用するという目的を、ケーシングの構成を簡単な構造で開閉することで実現した。
【実施例１】
【００１０】
図１は、本考案開閉型ケーシングの１実施例の斜視図であって、図２は、ケーシングを開いた状態を示す平面図、図３は、ケーシングを閉じた状態を示す一部拡大平面図、図４は、開閉型ケーシングを掘削ハンマーに装着した実施方法を示した説明図である。１は  ケーシング、１ａ，１ｂは  開閉型ケーシングを構成する左右の半円筒形部、  ２は    蝶番（左右半円筒形部１ａ，１ｂの側端部に設けた開閉金具）、  ３は    フラットバー（左右半円筒形部１ａ，１ｂの側端部に設けた接合金具）、  ４は    ハンマー、  ５ａ，５ｂは    側端部、  ６ａ，６ｂは    側端部である。
【００１１】
開閉型ケーシングは、パイプ状の円筒形金属管を縦割りした形状を有する左右半円筒形部１ａ，１ｂの側端部５ａ，５ｂに蝶番２を設けて、左右に開閉可能なケーシングに構成した。そのケーシング１を掘削ハンマー４に装着して、掘削した後穴から掘削ハンマー４を抜き上げて、その掘削穴内に構築物を挿入後、掘削穴内に置かれたケーシング１を該穴の上部に引き抜いて、地上で構築物から取り外されて他の現場でもそれを再使用することを特徴とする。
【００１２】
前記の開閉型ケーシングは、パイプ状の金属管を縦割りした樋形状を有する左右半円筒形部１ａ，１ｂのそれぞれの側端部５ａ，５ｂに蝶番２を設け，左右の半円筒形部１ａ，１ｂを開閉可能に構成した金属製の開閉型ケーシングである。
【００１３】
この開閉型ケーシングは円筒形金属管を縦割りした形状を有する左右半円筒形部１ａ，１ｂの側端部５ａ，５ｂに蝶番２を設け開閉可能に構成したため、ケーシング１は左右半円筒形部の他方の側端部６ａ，６ｂ同志が互いに接している。その側端部が土圧でずれないようにするためのフラットバー３を前記の側端部の一方に設け、例えばフラットバーを一方の側端部６ａに溶接して、左右の半円筒形部１ａ，１ｂを閉じている場合にはフラットバー３はもう一方の側端部６ｂに噛み合わせるが固定はせず、蝶番２で連結された左右の半円筒形部１ａ，１ｂが開閉する機能を備えている。フラットバーの機能は、左右半円筒形部１ａ，１ｂの端部が土圧でずれないように構成した。
【００１４】
このような、左右半円筒形部１ａ，１ｂの側端部に蝶番２を設けた構成をケーシングとして採用したので、掘削穴内に置いても土壌崩落を防止するケーシングの特性は実効的にして、それを引き抜いてケーシングを取り外しても再使用にも耐えることができる。従って、工事現場の土壌の崩落を防止、完了後にも陥没を防止できる。ケーシング１の再使用で多くのケーシングに掛かる工事費を節減でき、メンテナンスに掛かる費用を低減する効果がある。
【産業上の利用可能性】
【００１５】
半円筒形部の側端部に設けた蝶番を用いて容易に左右半円筒形部の開閉ができ、一方の側端部に設けたフラットバーを他方の側端部に掛けることによって、土圧によってケーシングが潰されるこことなく、例えば富山、箱根、長崎、鹿児島等にある大きな河川や火山があるところでは玉石、火山性の崩壊しやすい土壌条件で掘削する場合に、ケーシングの使用が不可欠な用途にもケーシングを埋め殺さなくても再使用可能である。
【図面の簡単な説明】
【００１６】
【図１】開閉型ケーシングの実施方法を示した説明図である。（実施例１）
【図２】開閉型ケーシングのケーシングを開いた状態を示す平面図である。（実施例１）
【図３】開閉型ケーシングのケーシングを閉じた状態を示す一部拡大平面図である。（実施例１）
【図４】掘削ハンマーに装着した開閉型ケーシングの実施方法を示した説明図である。（実施例１）
【符号の説明】
【００１７】
１    ケーシング
１ａ，１ｂ    開閉型ケーシングを構成する左右の半円筒形部
２    蝶番（左右半円筒形部１ａ，１ｂの側端部に設けた開閉金具）
３    フラットバー（左右半円筒形部１ａ，１ｂの側端部に設けた接合金具）
４    ハンマー
５ａ，５ｂ    側端部
６ａ，６ｂ    側端部
【図１】
0003136544.tif 000003
【図２】
0003136544.tif 000004
【図３】
0003136544.tif 000005
【図４】
0003136544.tif 000006